(57)【要約】【課題】カラー画像読取装置において、外部での機能に依存することなく高品位なプリント出力を可能にするとともに、高い生産性のプリント出力を実現する。【解決手段】原稿上に描かれたカラー画像を光学的に読み取って多値画像データを得る画像入力手段１０と、その多値画像データに対して二値スクリーン処理を含むプリント出力に適した画像処理を施す画像処理手段３０と、二値スクリーン処理後の画像データを外部へ出力する画像出力手段とを備えて、カラー画像読取装置を構成する。【選択図】　　　　図１
2004112021.tif 000002
【特許請求の範囲】
【請求項１】
原稿上に描かれたカラー画像を光学的に読み取って多値画像データを得る画像入力手段と、
前記画像入力手段で得た多値カラー画像データに対してスクリーン処理を含む画像処理を施す画像処理手段と、
前記画像処理手段によるスクリーン処理後のカラー画像データを外部へ出力する画像出力手段と
を備えることを特徴とするカラー画像読取装置。
【請求項２】
前記画像出力手段は、外部インタフェースを介して接続する外部装置へスクリーン処理後の画像データを出力するものである
ことを特徴とする請求項１記載のカラー画像読取装置。
【請求項３】
前記画像出力手段は、画像データを記憶する記憶装置または着脱可能な記憶媒体へスクリーン処理後の画像データを出力するものである
ことを特徴とする請求項１記載のカラー画像読取装置。
【請求項４】
前記画像処理手段は、前記画像入力手段が得た多値画像データをＹＭＣＫ色空間またはＹＭＣ色空間の画像データに変換した後にスクリーン処理を施すものである
ことを特徴とする請求項１、２または３記載のカラー画像読取装置。
【請求項５】
前記画像処理手段は、前記画像出力手段が出力する画像データのプリント出力を行う画像出力装置についての出力階調補正データに基づいて前記画像入力手段が得た多値画像データに対して階調補正を行った後にスクリーン処理を施すものである
ことを特徴とする請求項１、２、３または４記載のカラー画像読取装置。
【請求項６】
前記出力階調補正データを記憶保持するデータ記憶手段
を備えていることを特徴とする請求項５記載のカラー画像読取装置。
【請求項７】
前記画像出力装置によるテストパターンのプリント出力結果を前記画像入力手段が読み取ると、当該画像入力手段での読み取り結果を基に前記出力階調補正データを生成するデータ生成手段
を備えていることを特徴とする請求項５または６記載のカラー画像読取装置。
【発明の詳細な説明】
【０００１】
【発明の属する技術分野】
本発明は、原稿上に描かれたカラー画像を光学的に読み取る画像読取装置に関する。
【０００２】
【従来の技術】
一般に、スキャナ等の画像読取装置と、スキャン画像を取り込んでそれを出力するＰＣ等ホストコンピュータ装置（以下、単に「ホストＰＣ」という。）と、プリンタ等の画像出力装置とを備えた画像処理システムでは、画像読取装置が原稿上に描かれたカラー画像をＲＧＢ多値画像データとして読み取り、読み取った画像データをホストＰＣに転送、格納した後、ホストＰＣ上でのプリント指示に基づきプリンタ等画像出力装置へ転送し、画像出力装置がそのＲＧＢ多値画像データに対してＹＭＣＫ色空間への色変換処理やスクリーン処理等を施した後にプリント出力を行う。つまり、ＲＧＢ多値画像データをプリント出力する際に必要となる色変換処理やスクリーン処理等は、プリンタ装置における画像処理機能に依存している。ところが、画像読取装置が読み取るＲＧＢ多値画像データは、必ずしもプリント出力を前提としたものではない。そのため、画像出力装置における画像処理機能の種類（画像出力装置の機種）によっては、スキャンされたＲＧＢ多値画像データに対して適切な画像処理が行われずにプリント出力されてしまい、文字原稿等においてはボケる、地肌がかぶる、網点等の写真原稿においてはモアレが現れる等といった画質上の問題が生じる可能性がある。また、スキャンされたＲＧＢ多値画像データを着脱可能な記憶触体等に格納し、その記憶触体をプリンタ等出力装置に装着しダイレクトにプリント出力するようなシステムにおいても、同様な問題が生じる。
【０００３】
これに対して、画像出力装置で行うべき画像処理をホストＰＣで肩代わりして、そのホストＰＣで二値化処理まで施すことも考えられる（例えば、特許文献１参照。）。このようにすれば、画像出力装置における画像処理機能の種類に依存することなく、ＲＧＢ多値画像データのプリント出力を行い得るようになる。
【０００４】
【特許文献１】
特開平１１−９８３５３号公報
【０００５】
【発明が解決しようとする課題】
しかしながら、ホストＰＣで画像処理を肩代わりする場合には、ＲＧＢ多値画像データに対して二値化処理まで施す機能、具体的には当該機能を有したソフトウエアが、そのホストＰＣにインストールされていなければならない。すなわち、ホストＰＣの機能に依存することには変わりがない。しかも、ホストＰＣが当該機能を備えていても、ホストＰＣでは他の処理も並行して行う必要が生じる可能性が非常に高いため、結果としてホストＰＣでの処理負荷が過大になってしまうおそれがある。
【０００６】
また、画像読取装置で読み取ったＲＧＢ多値画像データを高品位にプリント出力しようとすると、高解像度での読み取りを実施する必要が生じるが、その場合にはＲＧＢ多値画像データのデータ量が増大する。したがって、ＲＧＢ多値画像データをそのまま授受する画像読取装置−ホストＰＣ間、あるいはホストＰＣ−画像出力装置間での転送処理に莫大な時間を費やしてしまい、結果としてプリント出力の生産性が悪化するという問題も生じる可能性がある。
【０００７】
そこで、本発明は、画像出力装置やその画像出力装置との間に介在するホストＰＣのような外部での機能に依存することなく高品位なプリント出力を可能にするとともに、高い生産性のプリント出力を実現することが可能なカラー画像読取装置を提供することを目的とする。
【０００８】
【課題を解決するための手段】
本発明は、上記目的を達成するために案出されたカラー画像読取装置で、原稿上に描かれたカラー画像を光学的に読み取って多値画像データを得る画像入力手段と、前記画像入力手段で得た多値カラー画像データに対してスクリーン処理を含む画像処理を施す画像処理手段と、前記画像処理手段によるスクリーン処理後のカラー画像データを外部へ出力する画像出力手段とを備えることを特徴とするものである。
【０００９】
上記構成のカラー画像読取装置によれば、多値画像データに対して画像処理手段がスクリーン処理（例えば、二値スクリーン処理）を含む画像処理を施すので、外部（例えば、ホストＰＣ装置）に対してプリント出力に適した画像データを出力することになる。したがって、その画像データをプリント出力すれば、プリンタ等の画像出力装置での画像処理機能に依存することなく、高品位なプリント出力の結果が得られるようになる。しかも、二値スクリーン処理によってデータ量が削減されるので、画像読取装置−ホストＰＣ−画像出力装置間の画像データの転送負荷も軽減することになる。
【００１０】
【発明の実施の形態】
以下、図面に基づき本発明に係る画像読取装置について説明する。図１は本発明に係る画像読取装置における画像処理部の概略構成例を示すブロック図、図２はその画像読取装置を用いて構成されたシステム構成例を示す説明図、図３はその画像読取装置全体の概略構成例を示すブロック図である。
【００１１】
ここで、先ず、画像読取装置が用いられるシステム構成例について説明する。図２に示すように、ここで説明するシステムは、画像読取装置１の他に、ホストＰＣ２と、画像出力装置３と、これらを互いに接続するネットワーク回線４とを備えてなるものである。
【００１２】
画像読取装置１は、例えばスキャナ装置からなるもので、読み取り対象となる原稿上に描かれたカラー画像を光学的に読み取るものである。ただし、カラー画像を光学的に読み取るものであれば、スキャナ装置ではなく、スキャナとしての機能を備えた複写機からなるものであっても、あるいは複写機能、プリント機能およびＦＡＸ機能等を兼ね備えた、いわゆる複合機からなるものであってもよい。
【００１３】
ホストＰＣ２は、例えば画像処理機能を有したソフトウエアがインストールされたコンピュータ装置からなるもので、画像読取装置１から画像データを受け取ってその画像データに画像処理を施したり、必要に応じてその画像データを画像出力装置３へ転送してプリント出力させたりするものである。
【００１４】
画像出力装置３は、例えば周知の電子写真技術を利用したプリンタ装置からなるもので、ホストＰＣ２からのプリント出力指示に応じて、画像データを記録用紙上に可視画像として印刷して出力するものである。
【００１５】
ネットワーク回線４は、例えば有線または無線により通信を行うことを可能とするＬＡＮ（Ｌｏｃａｌ　Ａｒｅａ　Ｎｅｔｗｏｒｋ）回線からなるものである。なお、このネットワーク回線４上において、画像読取装置１からホストＰＣ２への画像データの転送を「スキャンイメージパス（Ｓｃａｎ　ＩＰ）」、ホストＰＣ２から画像出力装置３への画像データの転送を「プリンタイメージパス（Ｐｒｉｎｔｅｒ　ＩＰ）」と呼ぶものとする。
【００１６】
続いて、以上のように構成されたシステムで用いられる画像読取装置１について詳しく説明する。図３に示すように、画像読取装置１は大別すると、画像読取部と、画像処理部と、外部出力インターフェース部と、コントロールパネル等のユーザーインタフェース部と、装置全体を制御するシステム制御部とから構成される。また画像処理部は、図１に示すように、ＣＣＤ（Ｃｈａｒｇｅ　Ｃｏｕｐｌｅｄ　Ｄｅｖｉｃｅ）センサ１０にて読み取られた画像を処理する、第１の画像処理部（以下、「Ｐｒｅ−ＩＰＳ（Ｉｍａｇｅ　Ｐｒｏｃｅｓｓｉｎｇ　Ｓｙｓｔｅｍ）」という。）２０と、第２の画像処理部（以下、「Ｐｏｓｔ−ＩＰＳ」という。）３０と、から構成されている。
【００１７】
ＣＣＤセンサ１０は、読み取り対象となる原稿から、その原稿上に描かれたカラー画像を光学的に読み取り、光電変換を行ってカラー画像データを得るためのものである。ただし、ＣＣＤセンサ１０では、カラー画像データとして、ＲＧＢ多値画像データを取得するようになっている。
【００１８】
Ｐｒｅ−ＩＰＳ２０は、主に画像読取装置１に依存する特性を補正処理するモジュールであり、ＡＤ変換、シェーディング補正およびギャップ補正を行う信号処理部２１と、濃度補正を行う濃度補正部２２と、ＲＧＢ→Ｌａｂの色空間変換を行う色空間変換部２３と、から構成されている。なお、これらの各部２１〜２３における処理の詳細については、周知であるため、ここではその説明を省略する。
【００１９】
Ｐｏｓｔ−ＩＰＳ３０は、拡大／縮小を含む解像度変換を行う解像度変換部３１と、周波数特性を補正する空間フィルタ部３２と、Ｌａｂ→ＹＭＣＫ（若しくはＹＭＣ）またはＬａｂ→ＲＧＢの色空間変換を行う色空間変換部３４と、下地除去や階調補正等を行う階調補正部３５と、二値スクリーン処理を行う二値スクリーン部３６と、から構成されている。つまり、Ｐｏｓｔ−ＩＰＳ３０は、多値画像データに対して、ＹＭＣＫ（若しくはＹＭＣ）への色変換、階調補正および二値スクリーン処理といったような、二値スクリーン処理を含むプリント出力に適した画像処理を施すものである。
【００２０】
このうち、二値スクリーン部３６が行う二値スクリーン処理としては、例えばディザ法、濃度パターン法または誤差拡散法による擬似階調表示処理が挙げられる。すなわち、ここで言う二値スクリーン処理とは、所定の大きさのブロック単位で二値化を行って、中間調を擬似的に再現可能にする二値化処理のことである。
【００２１】
なお、このようなＰｏｓｔ−ＩＰＳ３０の各部３１〜３６における処理の詳細についても、Ｐｒｅ−ＩＰＳ２０の場合と同様に周知であるため、ここではその説明を省略する。また、Ｐｒｅ−ＩＰＳ２０およびＰｏｓｔ−ＩＰＳ３０は、専用ＡＳＩＣ（Ａｐｐｌｉｃａｔｉｏｎ　Ｓｐｅｃｉｆｉｃ　Ｉｎｔｅｇｒａｔｅｄ　Ｃｉｒｃｕｉｔ）の組み合わせによってハードウエアとして実現することが考えられる。
【００２２】
外部インターフェース部は、ネットワーク回線４と接続し、そのネットワーク回線４上にＰｏｓｔ−ＩＰＳ３０での二値スクリーン処理を経た後の画像データを出力するためのものである。ただし、ＵＳＢ（Ｕｎｉｖｅｒｓａｌ　Ｓｅｒｉａｌ　Ｂｕｓ）、ＩＥＥＥ１３９４に代表されるような汎用インターフェースを有し、これら汎用インターフェースを介してローカル接続されたホストＰＣ２に画像データを出力してもよい。
【００２３】
次に、以上のように構成されたシステムにおいて、画像読取装置１で読み取ったカラー画像データを、画像出力装置３にてプリント出力する場合の処理動作例について説明する。
【００２４】
原稿上に描かれたカラー画像を読み取って、これを記録用紙上に印刷して出力する場合、図２に示すように構成されたシステムでは、画像読取装置１で得たＲＧＢ多値画像データを、スキャンイメージパスを通じて一旦ホストＰＣ２に取り込み、その後プリンタイメージパスを通じてホストＰＣ２から画像出力装置３へ画像データを転送するようになっている。すなわち、スキャンイメージパスとプリンタイメージパスとは、それぞれが独立したパスとなっている。
【００２５】
この場合、一般的には、それぞれが独立したパス故に、スキャン時（画像データ取り込み時）は画像データをホストＰＣ２上で扱うのに適した画像処理、プリント出力時は画像データを記録用紙上に印刷するのに適した画像処理しか考慮されない。したがって、既に説明したように、画像出力装置３における画像処理機能の種類によっては、ＲＧＢ多値画像データに対して適切な画像処理が行われずにプリント出力されてしまい、文字原稿等においてはボケる、地肌がかぶる、網点等の写真原稿においてはモアレが現れる等といった画質上の問題生じる可能性がある。
【００２６】
さらに詳しくは、図１に示す構成の場合であっても、一般的には、ＣＣＤセンサ１０で取得したＲＧＢ多値画像データに対し、必要に応じてＰｒｅ−ＩＰＳ２０による画像処理のみを行った後に、ＲＧＢ色空間における多値画像データのまま、外部インターフェース部を介してホストＰＣ２への転送を行うか（図中矢印▲１▼参照）、あるいはＰｏｓｔ−ＩＰＳ３０による画像処理も選択的に行って、Ｌａｂ色空間に変換された後の画像データに対し周波数特性の補正等を施し、再びＬａｂ→ＲＧＢの色変換を経た後に、ＲＧＢ色空間における多値画像データのまま、外部インターフェース部を介してホストＰＣ２への転送を行うようになっていた（図中矢印▲２▼参照）。
【００２７】
ところが、本実施形態で説明する画像読取装置１では、Ｐｏｓｔ−ＩＰＳ３０が、解像度変換部３１、空間フィルタ部３２、色空間変換部３４に加えて、階調補正部３５と、二値スクリーン部３６とをも備えている。したがって、画像読取装置１では、ホストＰＣ２から画像データの読み取り指示があると、スキャンイメージパスを介する場合であっても、最終的に画像データがプリント出力されることを考慮し、Ｐｒｅ−ＩＰＳ２０およびＰｏｓｔ−ＩＰＳ３０での画像処理を経て、ＲＧＢ多値画像データに対してＲＧＢ→Ｌａｂ→ＹＭＣＫまたはＹＭＣへの色変換、プリント出力に適した空間フィルタ処理や下地除去や階調補正等、および二値スクリーン処理を実施する。そして、その二値スクリーン処理後の画像データを、外部インタフェース部を介して接続するホストＰＣ２へ、スキャンイメージパスを通じて出力する（図中矢印▲３▼参照）。
【００２８】
これにより、その画像読取装置１を備えてなるシステムでは、ホストＰＣ２に取り込まれた画像データを画像出力装置３でプリント出力する場合であっても、その画像データには既に二値スクリーン処理が施されているため、その画像出力装置３内で特段の画像処理を行わなくても、高品位なプリント出力の結果が得られるようになる。つまり、二値スクリーン処理を含むプリント出力に適した画像処理（二値スクリーン処理の他には空間フィルタや下地除去や階調補正等の処理）が、画像読取装置１において施されるので、画像出力装置３での画像処理機能に依存することなく、高品位なプリント出力を得ることができるのである。特に、画像読取装置１では、ＹＭＣＫ色空間またはＹＭＣ色空間の画像データに変換した後に二値スクリーン処理を施しているため、その二値スクリーン処理後の画像データは、画像出力装置３での高品位なプリント出力に非常に適したものであると言える。
【００２９】
しかも、スキャンイメージパス上あるいはプリンタイメージパス上では、画像読取装置１での二値スクリーン処理によってデータ量が削減されるので、画像データの転送負荷が軽減することも期待できる。このことは、高品位なプリント出力を実現すべく、画像読取装置１が高解像度での読み取りを行った場合に、特に有効なものとなる。また、二値スクリーン処理による画像データのデータ量の削減は、プリント出力に必要となる画像出力装置３での画像処理時間の大幅削減にも繋がる。これらのことから、本実施形態で説明した画像読取装置１を備えてなるシステムでは、スキャンイメージパス上あるいはプリンタイメージパス上でのデータ転送時間や画像出力装置３での画像処理時間等の削減が可能となるため、結果としてプリント出力の生産性を向上させ得るようにもなる。
【００３０】
なお、上述した構成例、処理動作例においては、Ｐｒｅ−ＩＰＳ部２０にて一旦Ｌａｂ色空間に変換した後、各種画像処理を実行する例を示したが、Ｌａｂ色空間変換を実施しないでＲＧＢ空間のまま画像処理を実施してＹＭＣＫ空間に変換しても良いし、ＹＭＣＫ空間に変換後、フィルタ処理、下地除去等の各種画像処理を実施してもよい。
【００３１】
また、本実施形態では、各色１ビットの二値スクリーン処理を実行する例を示したが、スクリーン処理は各色ｎビットの多値（例えば四値）スクリーン処理でも良く、スクリーン処理後に圧縮してホストＰＣ２に転送するようなケースも容易に考えられる。
【００３２】
また、二値スクリーン処理をはじめとした下地除去や階調補正等のプリント出力に適した画像処理は、画像読取装置１が複写機や複合機からなる場合、すなわち複写機能を有するものである場合には、その複写機能を実現するために実装しているハードウエア画像処理回路を用いて行うようにしてもよい。このように、ハードウエア画像処理回路を併用すれば、パイプライン処理による高速画像処理を実現することが可能となる。
【００３３】
また、二値スクリーン処理を経た後の画像データは、外部インターフェース部を介したスキャンイメージパスを通じてホストＰＣ２へ出力するのではなく、画像読取装置１に設けられたハードディスク装置等の記憶装置や、ディスク状またはカード状の着脱可能な記憶媒体等へ出力することも考えられる。
【００３４】
また、ホストＰＣ２においては、ＹＭＣＫ（またはＹＭＣ）色空間でスクリーン処理された画像データをＲＧＢ空間に再変換して、モニタ上への表示や画像の加工等を行うようなアプリケーションソフトウエアを備えるようにすれば、画像読取装置１から画像データを取り込んだ後におけるデータ汎用性を向上させることが可能となる。
【００３５】
次に、本発明に係る画像読取装置の他の実施の形態について説明する。ここでは、ネットワーク回線４上に複数の画像出力装置３が存在する場合に、各画像出力装置３で異なる階調特性の違いを補正して、より高品位なプリント出力の結果を得るための実施形態を説明する。
【００３６】
通常、スキャンイメージパスを通じて画像読取装置１からホストＰＣ２に画像データを取り込み、その後プリンタイメージパスを通じてホストＰＣ２から画像出力装置３へ画像データを転送してプリント出力を行う場合には、ネットワーク回線４上に複数の画像出力装置３が存在しているのであれば、ホストＰＣ２のオペレータが、プリント出力を行う画像出力装置３を指定する。
【００３７】
このとき、ホストＰＣ２には、予め各画像出力装置３についての出力階調補正データが記憶保持されているものとする。出力階調補正データとは、画像出力装置３での階調特性を補正するために行う階調補正処理に必要となるデータのことを言う。
【００３８】
したがって、画像読取装置１では、プリント出力を行うべくホストＰＣ２から画像データの読み取り指示があると、そのホストＰＣ２から指定された画像出力装置３についての出力階調補正データを取得する。そして、取得した出力階調補正データを用いて、読み取った画像データに対する階調補正処理を行い、さらに二値スクリーン処理を行って、その処理後の画像データをホストＰＣ２等へ送出する。つまり、画像読取装置１では、プリント出力を行う画像出力装置３についての出力階調補正データに基づいて階調補正を行った後に二値スクリーン処理を施す。
【００３９】
このようにすれば、プリント出力を行う画像出力装置３の特性に合った階調補正処理が行われるので、画像読取装置１からは、その画像出力装置３でのプリント出力に非常に適した画像データが出力されることになり、より一層高品位なプリント出力の結果を得ることが期待されるようになる。
【００４０】
なお、出力階調補正データの記憶保持は、ホストＰＣ２ではなく、画像読取装置１にて行うようにしてもよい。すなわち、画像読取装置１には、予め想定される複数種の出力階調補正データを記憶保持するデータ記憶手段としての機能を設け、ホストＰＣ２から指定される出力装置に応じた出力階調補正データを選択し、階調補正を実施することも考えられる。この場合には、画像データの読み取りを行う度にホストＰＣ２から出力階調補正データを取得するといったことが不要となるので、その分だけ通信負荷を軽減して処理の迅速化が図れるようになる。
【００４１】
また、プリント出力を行う画像出力装置３の指定も、ホストＰＣ２ではなく、画像読取装置１にて行うようにしてもよい。すなわち、画像読取装置１には、プリント出力を行う画像出力装置３を指定するためのコントローラパネルを設けたり、あるいは画像読取装置１におけるユーザーインタフェース部に当該コントローラパネルとしての機能を設けることも考えられる。
【００４２】
ところで、上述したように、画像出力装置３の特性に合った階調補正処理を行うためには、その画像出力装置３についての出力階調補正データが必要となる。出力階調補正データは、システム構築時にそのシステムを構成する画像出力装置３についての出力階調補正データが明らかになっていれば、その出力階調補正データをホストＰＣ２等に入力して記憶保持させるようにすればよい。ただし、システムを構成する全ての画像出力装置３について、システム構築時に予め出力階調補正データが明らかになっているとは限らない。このような場合には、以下に述べるようにして、出力階調補正データを取得することが考えられる。
【００４３】
出力階調補正データの取得にあたっては、先ず、予めホストＰＣ２内に登録してあるテストパターン（パターン形状等は任意）を、取得対象となる画像出力装置３にてプリント出力する。そして、プリント出力の結果を画像読取装置１で読み取り、その読み取り結果に基づいて取得対象となる画像出力装置３の階調特性を解析する。これによって、その画像出力装置３についての出力階調補正データを取得することが考えられる。つまり、画像出力装置３によるテストパターンのプリント出力結果を画像読取装置１で読み取り、その読み取り結果から出力階調補正データを生成すればよい。なお、出力階調補正データの生成は、画像読取装置１に設けられた演算処理回路またはホストＰＣ２内に設けられた演算処理機能を用いて行えばよい。出力階調補正データを生成するための階調特性の解析、階調補正データの生成については、周知技術を利用して行えばよいため、ここではその説明を省略する。また、前記テストパターンは、画像読取装置１内に保持し、画像出力装置３からのテストパターン出力時にホストＰＣ２の指示に従いスキャンイメージパスを介してホストＰＣ２に転送してもよい。
【００４４】
【発明の効果】
以上に説明したように、本発明に係る画像読取装置によれば、多値画像データに対して画像処理手段が二値スクリーン処理を含む画像処理を施すので、外部（例えば、ホストＰＣ装置）に対してプリント出力に適した画像データを出力することができ、プリンタ等の画像出力装置での画像処理機能に依存することなく、高品位なプリント出力の結果が得られるようになる。しかも、二値スクリーン処理によってデータ量が削減されるので、外部への画像データの転送負荷も軽減することになる。したがって、高品位なプリント出力を可能にしつつ、高い生産性のプリント出力を実現することができるようになる。
【図面の簡単な説明】
【図１】本発明に係る画像読取装置における画像処理部の概略構成例を示すブロック図である。
【図２】本発明に係る画像読取装置を用いて構成されたシステム構成例を示す説明図である。
【図３】本発明に係る画像読取装置全体の概略構成例を示すブロック図である。
【符号の説明】
１…画像読取装置、２…ホストＰＣ、３…画像出力装置、４…ネットワーク回線、１０…ＣＣＤセンサ、２０…Ｐｒｅ−ＩＰＳ、２１…信号処理部、２２…濃度補正部、２３…色空間変換部、３０…Ｐｏｓｔ−ＩＰＳ、３１…解像度変換部、３２…空間フィルタ部、３４…色変換部、３５…階調補正部、３６…二値スクリーン部
【図１】
2004112021.tif 000003
【図２】
2004112021.tif 000004
【図３】
2004112021.tif 000005